(57)【特許請求の範囲】
【請求項１】
ネズミを捕獲する捕獲器と、
該捕獲器の振動を検知する振動センサと、
該振動センサの出力データを解析して振動の発生時刻を読み取り、振動が所定の時間以上断続的に継続して出現した場合に、ネズミが捕獲されたと判別する判別手段と
を備えることを特徴とするネズミ捕獲監視システム。
【請求項２】
前記所定の時間は、３分間であることを特徴とする請求項１に記載のネズミ捕獲監視システム。
【請求項３】
前記振動センサは電気接点を備え、前記捕獲器に振動が印加されたときに前記電気接点の開閉が切り替わり、出力信号のＯＮ／ＯＦＦが変化するものであることを特徴とする請求項１または２に記載のネズミ捕獲監視システム。
【請求項４】
開閉によって傾斜角が変化するシャッターを備える捕獲器と、
前記捕獲器のシャッターの傾斜角の変化を検知する傾斜センサと、
該傾斜センサの出力データを解析して、前記シャッターの傾斜角の変化から、シャッターが閉鎖しネズミが捕獲されたと判別する判別手段と
を備えることを特徴とするネズミ捕獲監視システム。
【請求項５】
前記傾斜センサは、電気接点を備え、前記シャッターが閉鎖して、前記シャッターの傾斜角が変化したときに、前記電気接点の開閉が切り替わり、出力信号のＯＮ／ＯＦＦが変化するものであることを特徴とする請求項４に記載のネズミ捕獲監視システム。
【請求項６】
前記判別手段は、前記捕獲器および前記振動センサまたは傾斜センサから遠隔して設けられ、かつ、前記振動センサまたは傾斜センサの出力を通信網を介して前記判別手段に逐次伝送する伝送手段を備えていることを特徴とする請求項１ないし５のいずれかに記載のネズミ捕獲監視システム。
【請求項７】
ネズミを捕獲する捕獲器と、
該捕獲器の振動を検知する振動センサとを用い、
該振動センサの出力データを解析して振動の発生時刻を読み取り、振動が所定の時間以上断続的に継続して出現した場合に、ネズミが捕獲されたと判別することを特徴とするネズミ捕獲監視方法。
【請求項８】
前記所定の時間は、３分間であることを特徴とする請求項７に記載のネズミ捕獲監視方法。
【請求項９】
前記振動センサは電気接点を備え、前記捕獲器に振動が印加されたときに前記電気接点の開閉が切り替わり、出力信号のＯＮ／ＯＦＦが変化するものであることを特徴とする請求項７または８に記載のネズミ捕獲監視方法。
【請求項１０】
開閉によって傾斜角が変化するシャッターを備える捕獲器と、
前記シャッターの傾斜角の変化を検知する傾斜センサとを用い、
該傾斜センサの出力データを解析して、前記シャッターの傾斜角の変化から、シャッターが閉鎖しネズミが捕獲されたと判別することを特徴とするネズミ捕獲監視方法。
【請求項１１】
前記傾斜センサは電気接点を備え、前記シャッターが閉鎖して、前記シャッターの傾斜角が変化したときに前記電気接点の開閉が切り替わり、出力信号のＯＮ／ＯＦＦが変化するものであることを特徴とする請求項１０に記載のネズミ捕獲監視方法。
【請求項１２】
前記判別手段を、前記捕獲器および前記振動センサまたは傾斜センサから遠隔して設け、かつ、前記振動センサまたは傾斜センサの出力を通信網を介して前記判別手段に逐次伝送することを特徴とする請求項７ないし１１のいずれかに記載のネズミ捕獲監視方法。
【発明の詳細な説明】
【０００１】
【発明の属する技術分野】
本発明は、建物内に生息するネズミの捕獲および監視に用いられるネズミ捕獲監視システムおよび捕獲監視方法に関する。
【０００２】
【従来の技術】
従来、建物内に生息するネズミを捕獲し監視するため、種々のネズミ捕獲監視システムが用いられている。この種のネズミ捕獲監視システムにおいては、ネズミが捕獲器に捕獲された場合、処理せずに放置するとネズミの死骸が腐敗等して不衛生である。そこで、ネズミの捕獲を検知するため、該捕獲器に、赤外線センサ、空気圧センサ、または、振動センサなどの検知手段を取り付け、捕獲されたネズミの動き等を検知できるようにして、ネズミの捕獲を遠方の監視センター等から監視できるようにしている。
そして、前記検知手段からネズミの捕獲を示す信号が送られた時、監視員がこれを認識し、回収作業員に連絡して、回収作業員が前記捕獲器に捕獲されたネズミを回収し処理するようにしている。
しかしながら、上記検知手段が、人や車両の往来、工事、地震、ゴミの飛来など、ネズミの捕獲以外の外乱に反応して誤作動することが多いという問題がある。
【０００３】
また、近年は、１匹でもネズミがいると、大きな問題となる場合が多い。例えば、変電所、コンピュータルーム等で配線等を齧って設備を故障させたり、また、商店、飲食店、病院などにおいて、来客等に目撃されることで営業イメージに決定的な悪影響を与えたりするおそれがある。このため、ネズミを完全に根絶した状態にするとともに、外部からのネズミの侵入を防止することが望まれている。しかしながら、従来の捕獲監視システムでは、検知手段の誤動作の可能性があり、ネズミが捕獲されたのか否かを確実に判断することができない。このため、ネズミの侵入に対して徹底的な駆除を実施するなど的確な対応をとることが困難であり、改善が望まれている。
【０００４】
【発明が解決しようとする課題】
本発明は上記問題点に鑑みてなされたものであって、検知手段からの信号を、ネズミの捕獲に起因するものか、外乱によるものか判定し、捕獲監視システムの誤判定を抑制し、ネズミの捕獲を確実に検知することを容易にすることを課題とする。
【０００５】
【課題を解決するための手段】
前記課題は、ネズミを捕獲する捕獲器と、該捕獲器の振動を検知する振動センサと、該振動センサの出力データを解析して振動の発生時刻を読み取り、振動が所定の時間以上断続的に継続して出現した場合に、ネズミが捕獲されたと判別する判別手段とを備えるネズミ捕獲監視システムを用い、捕獲器の振動が所定の時間以上断続的に継続して出現したことを検知した場合に、ネズミが捕獲されたと判別することによって解決される。
これにより、ネズミが捕獲された場合には、ネズミが逃げようとして、少なくとも前記所定の時間暴れて前記捕獲器を振動させるので、ネズミの捕獲を確実に検知することができる。これに対して、人や車両の往来等の外乱によって捕獲器が振動した場合、振動が単発的なことから、ネズミの捕獲ではないと判別することが可能となり、ネズミの捕獲と誤判定することが防止される。
ネズミの捕獲であるか否かを判別するための前記所定の時間は、３分間と設定することが好ましい。
【０００６】
前記振動センサとしては、電気接点を備え、前記捕獲器に振動が印加されたときに前記電気接点の開閉が切り替わり、出力信号のＯＮ／ＯＦＦが変化するものとすることが好ましい。
これにより、センサの出力信号が単純な矩形波信号となるので、データ解析が容易になる。また、出力信号を通信網などを用いて送信する際、該出力信号の強度情報を含まないのでデータサイズが小さくなり、リアルタイムな送信が容易になる。しかも、振動センサとして、より単純な構造のものを用いることができるので、装置の設置費用が低減される。
【０００７】
また、開閉によって傾斜角が変化するシャッターを備える捕獲器と、
前記捕獲器のシャッターの傾斜角の変化を検知する傾斜センサと、
該傾斜センサの出力データを解析して、前記シャッターの傾斜角の変化から、シャッターが閉鎖しネズミが捕獲されたと判別する判別手段と
を備えるネズミ捕獲監視システムを用いることもできる。
これによれば、ネズミが捕獲されてシャッターが閉鎖したことを確実に検知することができる。
【０００８】
前記傾斜センサは、電気接点を備え、前記シャッターが閉鎖して、前記シャッターの傾斜角が変化したときに、前記電気接点の開閉が切り替わり、出力信号のＯＮ／ＯＦＦが変化するものであることが好ましい。
これにより、センサの出力信号が単純な矩形波信号となるので、データ解析が容易になる。また、出力信号を通信網などを用いて送信する際、該出力信号の強度情報を含まないのでデータサイズが小さくなり、リアルタイムな送信が容易になる。しかも、傾斜センサとして、より単純な構造のものを用いることができるので、装置の設置費用が低減される。
【０００９】
前記判別手段は、前記捕獲器および前記振動センサまたは傾斜センサから遠隔して設け、かつ、適切な伝送手段を用いて、前記振動センサまたは傾斜センサの出力を通信網を介して前記判別手段に逐次伝送することが好ましい。
これにより、遠隔地から、ネズミが捕獲されたか否かを監視することができるようになる。
【００１１】
【発明の実施の形態】
以下、実施の形態に基づいて、本発明を説明する。
図１は、本発明のネズミ捕獲監視システムの第１の実施の形態を説明するブロック図である。図１において、符号１は、ネズミ捕獲検知装置であり、ネズミを駆除すべき施設等に設置されている。ネズミ捕獲検知装置１は、ネズミを捕獲するための捕獲器２と、該捕獲器２の振動を検知する振動センサ３と、該振動センサからの出力信号を、通信網１０を介して、当該施設等の外部にある監視装置１１に送信するための交換機４とから構成されている。
監視装置１１は、前記交換機４から送信された前記出力信号を受信するための受信手段１２と、前記出力信号に基づいてネズミが捕獲されたか否かを判別する判別手段１３と、前記判別手段１３の判別結果を表示する表示手段１４とを備えている。
【００１２】
本実施の形態のネズミ捕獲監視システムにおいては、捕獲器２により捕獲されたネズミが逃げようとして暴れ、該捕獲器２を振動させると、その振動が振動センサ３により検知され、振動センサ３から出力された信号が、交換機４により通信網１０を介して当該施設等の外部にある監視装置１１に送信される。
前記出力信号は、受信手段１２により受信されたのち、判別手段１３に渡され、この判別手段１３において、ネズミが捕獲されたか否かを判別し、この判別手段１３の判別結果を表示手段１４によって表示する。
これにより、常時、捕獲器２の状況を監視装置１１により感知することができる。また、ネズミが捕獲された場合には、そのことが表示手段１４に表示されるので、捕獲を見逃すことがない。
【００１３】
図２は、ネズミ捕獲検知装置１の第１の実施の形態を示す斜視図である。このネズミ捕獲検知装置１においては、図１の捕獲器２として、図示の粘着式捕獲器２０が用いられている。この粘着式捕獲器２０は、概略板状の基台２１の表面に粘着剤２２が塗布され、該粘着剤２２にネズミが誤って触れることにより、ネズミを捕獲するものである。基台２１の辺長は、アダルトクマネズミの体長の数倍（２〜３倍）程度である。また、基台２１の縁部２３は、人が触れても粘着しないように、粘着剤２２の面を内側にして折り返されている。基台２１の縁部２３の一角には、振動センサ３が取り付けられている。振動センサ３は、交換機４に接続されており、この振動センサ３の出力信号を、交換機４により外部に送信できるようになっている。また、前記振動センサ３や粘着剤２２を、水や粉塵などから保護するため、捕獲器２の周囲および上方をカバー（不図示）で覆うことが好ましい。
捕獲されたネズミが比較的容易に振動させることができるように、捕獲器２の全質量は、１８０〜２４０ｇ程度とすることが好ましい。
【００１４】
振動センサ３としては、電気接点を有し、振動が印加されたときに前記電気接点の開閉が切り替わり、出力信号のＯＮ／ＯＦＦが変化するものが用いられる。図３に振動センサ３の一例を示す。この振動センサ３は、振動の印加と、傾斜角の変化との双方を検知可能な振動傾斜センサ３０であり、振動センサとしても傾斜センサとしても使用できるものである。
【００１５】
図３の振動傾斜センサ３０は、略円筒形のケース３１と、該ケース３１の内部空間を上下に二分する受け皿３２と、該受け皿３２の上を転動可能に載置されたボール３３と、前記受け皿３２の下方に設けられたスイッチ４０とから概略構成されている。
前記受け皿３２は、上面が上方に向けて凹になっており、かつ、中央に孔３４が穿設され、この孔の周囲にスリーブ３５が垂設されている。
ボール３３は、所定の加速度以上の外力が加えられたときに転動するようになっている。このため、微小な力に反応しにくいように、慣性を高めるため、鉄球や鋼球など高密度の材料から作られたものが用いられる。
【００１６】
スイッチ４０は、上下一対の絶縁板４１ａ、４１ｂと、これらの絶縁板４１ａ、４１ｂの互いに対向する面上に設けられた接点板４２ａ、４２ｂを備えている。下側絶縁板４１ｂは、ケース３１の底面上に固定されている。前記一対の接点板４２ａ、４２ｂには、導線４３が接続されており、前記接点板４２ａ、４２ｂが接したとき、該導線４３に電流が流れるようになっている。
【００１７】
上側絶縁板４１ａは、上面中央に突起部４４を有しており、上側絶縁板４１ａは、該突起部４４が前記スリーブ３５内を摺動することにより、上下動可能となっている。かつ、上側絶縁板４１ａはスリーブ３５より大きく形成されており、その上方への移動は、スリーブ３５の下端までに規制されている。
さらに、上側絶縁板４１ａと下側絶縁板４１ｂとの間には、コイルバネ４５が接点板４２ａ、４２ｂを取り巻く形で装着されており、上側絶縁板４１ａを上方に付勢している。このコイルバネ４５には、接点板４２ａ、４２ｂの短絡を防止するため、絶縁コーティングなどにより電気絶縁性が付与されている。
【００１８】
次に、図３の振動傾斜センサ３０の動作原理について説明する。まず、この振動傾斜センサ３０を水平面上に静置すると、受け皿３２の上面は凹になっているので、ボール３３は重力に牽引されて、上側絶縁板４１ａの突起部４４の端面上に載るようになる。これにより、ボール３３は該突起部４４を介して上側絶縁板４１ａを下方に押圧するようになるので、接点板４２ａ、４２ｂが接して、導線４３に電流が流れる。このため、振動傾斜センサ３０の出力信号がＯＮになる。
【００１９】
次に、振動傾斜センサ３０が振動させられるか、傾斜させられると、図４に示すように、ボール３３が揺動し、突起部４４の端面上から外れて、受け皿３２上に転がり出る。すると、コイルバネ４５が、上側絶縁板４１ａを上方に付勢して、接点板４２ａ、４２ｂを離間させるので、導線４３の電流が不通になり、該振動傾斜センサ３０の出力信号がＯＦＦになる。
【００２０】
ネズミの捕獲をより確実に検知するため、この振動傾斜センサ３０は、所定の閾値以上の振動が印加されたときに確実に出力信号のＯＮ／ＯＦＦを切り替えるものとすることが好ましい。前記所定の閾値（振動を検知すべき下限値）としては、駆除対象となるネズミの種類（マウス、ラット）によって平均体重が異なり、また捕獲器２の質量などにもよって前後するが、例えば、９０〜１７０ｃｍ／ｓ2程度の加速度を閾値として、この閾値以上の振動を検知可能とすることが好ましい。これにより、微小な振動や傾斜には反応しにくくなり、誤動作を抑制することができる。この閾値は、ボール３３の直径や密度、受け皿３２の表面粗さ、ボール３３と受け皿３２との間の摩擦係数などを調節することによって適宜調整することができる。
【００２１】
交換機４としては、例えば、データサイズが所定の大きさになるまでメモリにバッファリングを行い、所定の時間ごとに、前記メモリに蓄積されたデータをパケット交換により伝送するものを用いることが好ましい。これにより、通信網１０との接続時間が短縮し、通信付加および費用が軽減される。
受信手段１２としては、モデムやルータ等を備える適切な通信装置が用いられる。また、判別手段１３には、例えば、振動センサ３の出力信号を入力として所定の判別処理を実行することが可能なコンピュータが例示される。また、表示手段１４としては、モニタ、ディスプレイ、プリンタ、プロッタなどが用いられる。
【００２２】
次に、ネズミが捕獲されたか否かを判別する方法について説明する。
まず、粘着式捕獲器２０を、ネズミの出没が期待される箇所に設置する。ネズミが粘着剤２２に触れると、該粘着剤２２に手肢を粘着され、逃げることができずに捕獲される。捕獲されたネズミは逃げようとして、疲労などにより諦めるまで暴れもがき続けるので、振動センサ３に断続的に振動が印加される。この振動を振動センサ３により検知し、該振動センサ３の出力信号を交換機４により通信網１０を介して監視装置１１に送信する。
【００２３】
監視装置１１は、交換機４から送信されたデータを受信手段１２により受信する。そして、判別手段により、データを解析して、振動の発生時刻を列挙して、所定の時間、例えば３分間にわたって有意な振動が断続した時に、ネズミが捕獲されたものと判別する。
ネズミの捕獲が認められた時、ネズミが捕獲された時刻や施設の所在地などの情報を表示手段１４に表示して、監視員に報告する。この際、警報ブザーや警報灯などを用いれば、一層効果的に通報が告知される。前記情報に基づいて、作業員を当該施設に出動させ、捕獲されたネズミの回収などの処理を行う。また、当該施設の衛生担当者等に対し、ネズミが捕獲された旨の報告を行う。
【００２４】
ネズミの捕獲が認められない間は、例えば、監視員に対して何ら警報などを行わず、平常状態であるものとして判別結果を表示することができる。そして、例えば数日〜１ヶ月の間、データおよび判別結果を保存して、このデータおよび判別結果に基づいて、顧客に対し、前記期間中、ネズミが捕獲されなかった旨を、郵便や電子メール等の連絡手段により報告することができる。
【００２５】
このように、所定の時間、捕獲器２の振動が断続した時をネズミの捕獲と判定することにより、人や車両の往来、工事、地震、ゴミの飛来などによる突発的、単発的振動を除外し、誤判定を抑制することができる。
前記所定の時間は、３分間とすることが好ましい。より好ましくは、５分間以上とすることが好ましい。前記所定の時間が３分間未満であると、人などの往来や地震などの外乱による振動をネズミの捕獲と誤って判定するおそれがある。また、前記所定の時間を３０分間以上とすると、その時間が経過する以前にネズミが疲労して脱出を諦め、じっとして動かなくなることがあるので、ネズミの捕獲を見逃すおそれがあり、好ましくない。
【００２６】
次に、ネズミ捕獲監視システムの第２の実施の形態について説明する。本実施の形態のネズミ捕獲監視システムは、ネズミの捕獲を検知するためのセンサとして、振動センサ３に代えて、傾斜センサを用いることを除いて、図１のブロック図に示す第１の実施の形態のネズミ捕獲監視システムと同様の構成を用いることができる。前記傾斜センサとしては、例えば、図３に示す振動傾斜センサ３０を用いることができる。
【００２７】
捕獲器２としては、開閉によって傾斜角が変化するシャッターを備えたものが用いられる。そして、ネズミが捕獲器２に捕獲され、前記シャッターが閉鎖した時、該シャッターの傾斜角の変化を前記傾斜センサにより検知し、傾斜センサから出力された信号が、交換機４により通信網１０を介して当該施設等の外部にある監視装置１１に送信される。前記出力信号は、受信手段１２により受信されたのち、判別手段１３に渡され、この判別手段１３において、ネズミが捕獲されたか否かを判別し、この判別手段１３の判別結果を表示手段１４によって表示する。
これにより、常時、捕獲器２の状況を監視装置１１により感知することができる。また、ネズミが捕獲された場合には、そのことが表示手段１４に表示されるので、捕獲を見逃すことがない。
【００２８】
図５に、第２の実施の形態のネズミ捕獲監視システムに用いられるネズミ捕獲検知装置１の一例として、ネズミ捕獲検知装置１の第２の実施の形態を示す。このネズミ捕獲検知装置１においては、捕獲器２として、カゴ式捕獲器５０が用いられている。このカゴ式捕獲器５０は、針金からなるカゴ５１と、このカゴ５１の開口部を塞ぐシャッター５２と、このシャッター５２に固定されたハンドル５３と、カゴ５１の天面から吊り下げられた鉤５４と、前記ハンドル５３を押さえる押さえバネ５５とを備えている。
シャッター５２は、上端にて図示しない蝶番などによりカゴ５１に回動可能に軸支されている。また、このシャッター５２上には、傾斜センサ５６が取り付けられている。この傾斜センサ５６としては、例えば、図３に示す振動傾斜センサ３０を用いることができる。前記傾斜センサ５６には交換機４が接続され、該傾斜センサ５６からの出力信号を外部に送信できるようになっている。
【００２９】
このカゴ式捕獲器５０は、以下のようにして使用される。
まず、押さえバネ５５によりハンドル５３を押さえ付け、鉤５４の上部に引っ掛けると、シャッター５２は水平に吊上げられて、開いた状態で静止する。この状態では、傾斜センサ５６は、水平を維持しているので、出力信号がＯＮになっている。鉤５４に餌を取り付け、ネズミの到来を待つ。
ネズミが餌に誘引されて餌を手繰り寄せると、図６に示すように、鉤５４が揺動して、押さえバネ５５は鉤５４から外れて跳ね上がるので、シャッター５２は押さえバネ５５の抑止を失って自重により降下し、カゴ５１の開口部を閉鎖する。すると、傾斜センサ５６は、シャッター５２の傾斜角の変化を検知し、出力信号をＯＦＦにする。この傾斜センサ５６の出力信号の変化は、交換機４により通信網１０を介して外部の監視装置１１に伝送される。
【００３０】
監視装置１１においては、受信手段１２によって受信された傾斜センサ５６の出力信号は、判別手段１３に渡される。判別手段１３が該出力信号の変化を認識することにより、シャッター５２が閉鎖され、ネズミが捕獲されたことを判別する。そして、ネズミが捕獲された時刻や施設の所在地などの情報を表示手段１４に表示して、監視員に報告する。この際、警報ブザーや警報灯などを用いれば、一層効果的に通報が告知される。前記情報に基づいて、作業員を当該施設に出動させ、捕獲されたネズミの回収などの処理を行う。また、当該施設の衛生担当者などに報告し、駆除の報告を行う。
【００３１】
このカゴ式捕獲器５０においては、傾斜センサ５６に代えて、振動センサを取り付けてもよい。この場合は、第１の実施の形態に示すように、ネズミが捕獲されたとき、ネズミが逃げようとしてカゴ５１の中で暴れるので、これによる振動を該振動センサで検知することができる。そして、振動センサの出力信号を、第１の実施形態に示したように図１の監視装置１１に送信し、判別手段１３により、振動が所定の時間断続的に継続したか否かを検討することによって、ネズミが捕獲であるか否かを判別することができる。
【００３２】
次に、ネズミ捕獲検知装置１の第３の実施の形態を図７に示す。このネズミ捕獲検知装置１においては、図１の捕獲器２として、シーソー式捕獲器６０が用いられている。このシーソー式捕獲器６０は、一端が開口し、他端が閉鎖した函体６１と、該函体６１の開口部６２を塞ぐことができる開閉自在の前蓋６３とを備えた装置である。
【００３３】
函体６１は、プラスチックなど、軽量かつ適度に強度のある素材から作られている。捕獲されたネズミが比較的容易に振動させることができるように、函体６１の質量は、２００〜３００ｇ程度とすることが好ましい。
開口部６２の広さはネズミが入れる程度であり、函体６１の長さはネズミの体長の数倍（１．５〜２倍）程度である。そして、中央部で「く」の字型に折れ曲がっており、開口部６２側の函体前部６１ａと、閉端部６４に近い函体後部６１ｂとで、底面の傾斜角が異なっている。また、函体６１の閉端部６４は、取り外し可能になっており、その内側に餌６７を取り付けることができるようになっている。
【００３４】
そして、函体前部６１ａの天面上には、振動センサ３が取り付けられている。振動センサ３は、交換機４に接続されており、この振動センサ３の出力信号を、交換機４により外部に送信できるようになっている。
前蓋６３は、上端の回動軸６５を介して、函体前部６１ａに上下方向に回動自在に軸支されている。また、その下端に支持脚６６を備えており、この支持脚６６を床面Ｆに突き立てることにより、ほぼ直角に開いた状態で静止できるようになっている。
【００３５】
このシーソー式捕獲器６０は、以下のようにして使用される。
まず、函体６１の閉端部６４の内側にピーナッツバターなどの餌６７を付けたのち、函体前部６１ａの底面を床面Ｆに当接させ、函体後部６１ｂが上方に浮き上がるような姿勢にて、ネズミの出没が期待される箇所に設置する。
ネズミが餌６７に誘引されて函体６１内に侵入し、函体後部６１ｂに達すると、図８に示すように、シーソーのように函体６１の重心が移動し、函体後部６１ｂが降下し、函体前部６１ａが持ち上がるので、前蓋６３は支持脚６６の支持を失って閉鎖する。
【００３６】
さらに、函体６１内に入ったネズミが函体前部６１ａに戻った場合、図９に示すように、前蓋６３の支持脚６６は自重により床面Ｆに当接していて容易に持ち上がらないので、ネズミが前蓋６３を内側から強く押しても、前蓋６３は開くことはない。ネズミは前蓋６３や閉端部６４などに内側から突撃を繰り返すなどして、脱出を試みるが、前蓋６３等は内側から開かないので、逃げることはできない。この際、函体６１は強く揺動するので、振動センサ３に断続的に振動が印加される。
【００３７】
このようにネズミが捕獲されるなどして、振動センサ３が振動を検知したとき、所定の出力信号を出力する。この出力信号は、交換機４により通信網１０を介して監視装置１１に送信され、受信手段１２により受信された後、判別手段１３に渡される。この判別手段１３は、前記ネズミ捕獲監視システムの第１の実施の形態に示した方法と同様にして、振動が所定の時間断続的に継続したか否かを検討し、ネズミが捕獲であるか否かを判別する。そして、その判別結果が表示手段１４により表示される。この表示に応じて、監視員は適切な処理を執ることができる。
【００３８】
また、ネズミ捕獲検知装置１の第４の実施の形態として、図７の装置において、振動センサ３に代えて、傾斜センサ５６を用いることもできる。この場合、傾斜センサ５６は、図７に破線を用いて示したように、前蓋６３の前面に取り付けられる。前蓋６３を開いて支持脚６６を床面Ｆに突き立ててシーソー式捕獲器６０を設置することにより、傾斜センサ５６は水平に静置されるので、信号はＯＦＦの状態になる。
【００３９】
ネズミが捕獲され、前蓋６３が閉じると、前蓋６３の傾斜角が変化するので、傾斜センサ５６の出力信号が変化する。この変化は、交換機４により通信網１０を介して外部の監視装置１１に伝送される。
監視装置１１においては、受信手段１２によって受信された傾斜センサ５６の出力信号は、判別手段１３に渡される。判別手段１３が該出力信号の変化を認識することにより、前蓋６３が閉鎖され、ネズミが捕獲されたことを判別する。そして、ネズミが捕獲された時刻や施設の所在地などの情報を表示手段１４に表示して、監視員に報告する。この際、警報ブザーや警報灯などを用いれば、一層効果的に通報が告知される。前記情報に基づいて、作業員を当該施設に出動させ、捕獲されたネズミの回収などの処理を行う。また、当該施設の衛生担当者などに報告し、駆除の報告を行う。
【００４０】
以上、本発明を好適な実施の形態を参照して説明してきたが、本発明はこの実施の形態のみに限定されるものではなく、本発明の要旨を逸脱しない範囲で種々の改変が可能であることはいうまでもない。
例えば、振動センサ３および傾斜センサ５６としては、図３に示す振動傾斜センサ３０について説明したが、これに限定されず、例えば、圧電素子などを用いた振動センサを用いることもできる。
また、振動センサ３として、出力信号がＯＮ／ＯＦＦのみならず、振動の強度レベルをも検知可能なものを用いてもよい。これにより、ネズミが捕獲されたか否かの判別の精度が一層向上する。
【００４１】
【発明の効果】
以上説明したように、本発明のネズミ捕獲監視システムおよび捕獲監視方法によれば、捕獲器にネズミが捕獲されたことを確実に判別することができ、人の往来などの外乱による誤判定が極めて少なくなる。これにより、ネズミの捕獲がない場合でも、これを判別することができるので、ネズミが根絶された状態を維持することが容易になる。
また、判別手段を、前記捕獲器および前記振動センサまたは傾斜センサから遠隔して設け、かつ、適切な伝送手段を用いて、前記振動センサまたは傾斜センサの出力を通信網を介して前記判別手段に逐次伝送することにより、遠隔地から、ネズミが捕獲されたか否かを監視し、判別することができるようになる。
【００４２】
また、振動センサまたは傾斜センサとして、電気接点を備え、捕獲器に振動などの異常が発生した時に前記電気接点の開閉が切り替わり、出力信号のＯＮ／ＯＦＦが変化することにより、前記センサの出力信号が単純な矩形波信号となるので、判別手段によるデータ解析が容易になる。また、前記出力信号を通信網などを用いて送信する際、該出力信号の強度情報を含まないのでデータサイズが小さくなり、リアルタイムな送信が容易になる。しかも、前記センサとして、より単純な構造のものを用いることができるので、装置がより廉価になる。
【図面の簡単な説明】
【図１】  本発明のネズミ捕獲監視システムの一例を示すブロック図である。
【図２】  本発明のネズミ捕獲検知装置の第１の実施の形態を示す図である。
【図３】  本発明のネズミ捕獲検知装置に用いられる振動傾斜センサの一例を示す斜視図である。
【図４】  図３の振動傾斜センサが振動または傾斜した状態を説明する図である。
【図５】  本発明のネズミ捕獲検知装置の第２の実施の形態を示す図である。
【図６】  図５のネズミ捕獲検知装置に用いられる捕獲器にネズミが捕獲されたときの状態を説明する図である。
【図７】  本発明のネズミ捕獲検知装置の第３の実施の形態を示す図である。
【図８】  図７のネズミ捕獲検知装置に用いられる捕獲器にネズミが侵入したときの状態を説明する図である。
【図９】  図７のネズミ捕獲検知装置に用いられる捕獲器に捕獲されたネズミが、脱出を試みたときの状態を説明する図である。
【符号の説明】
１：ネズミ捕獲検知装置
２：捕獲器
３：振動センサ
４：交換機
１０：通信網
１１：監視装置
１２：受信手段
１３：判別手段
１４：表示手段
２０：粘着式捕獲器
２１：基台
２２：粘着剤
２３：縁部
３０：振動傾斜センサ
３１：ケース
３２：受け皿
３３：ボール
３４：孔
３５：スリーブ
４０：スイッチ
４１ａ：上側絶縁板
４１ｂ：下側絶縁板
４２ａ、４２ｂ：接点板
４３：導線
４４：突起部
４５：コイルバネ
５０：カゴ式捕獲器
５１：カゴ
５２：シャッター
５３：ハンドル
５４：鉤
５５：押さえバネ
５６：傾斜センサ
６０：シーソー式捕獲器
６１：函体
６１ａ：函体前部
６１ｂ：函体後部
６２：開口部
６３：前蓋
６４：閉端部
６５：回動軸
６６：支持脚
６７：餌
【図１】
0003977121.tif 000002
【図２】
0003977121.tif 000003
【図３】
0003977121.tif 000004
【図４】
0003977121.tif 000005
【図５】
0003977121.tif 000006
【図６】
0003977121.tif 000007
【図７】
0003977121.tif 000008
【図８】
0003977121.tif 000009
【図９】
0003977121.tif 000010